(57)【要約】【課題】記録媒体への記録位置又は画像データの撮影位置に対応する各種データを、画像データとともに記録媒体に記録することである。【解決手段】撮影手段１により撮影された画像データを、記録媒体としてのＣＤ−Ｒ４に記録する画像データ記録装置２Ａにおいて、画像データ記録装置２Ａの位置を示す記録位置データを取得し、画像データ記録装置２Ａ内の記憶手段に記憶された各種データとしての素材データから、前記記録位置データに対応する素材データを選択し、その選択された素材データとともに、前記画像データをＣＤ−Ｒ４に記録する。【選択図】  図１
2004201236.tif 000002
【特許請求の範囲】
【請求項１】
画像データを記録媒体に記録する画像データ記録装置において、
前記記録媒体に対する前記画像データの記録位置を示す記録位置データを取得する記録位置データ取得手段と、
位置に基づく複数の素材データを記憶する素材データ記憶手段と、
前記素材データ記憶手段に記憶された複数の素材データから、前記記録位置データ取得手段により取得された記録位置データに対応する素材データを選択する選択手段と、
前記選択手段により選択された素材データとともに、前記画像データを前記記録媒体に記録する記録手段とを備えることを特徴とする画像データ記録装置。
【請求項２】
画像データを記録媒体に記録する画像データ記録装置において、
前記記録媒体に対する前記画像データの記録位置を示す記録位置データを取得する記録位置データ取得手段と、
位置に基づく素材データを提供するデータ提供装置に格納された複数の素材データから、前記記録位置データ取得手段により取得された記録位置データに対応する素材データを選択する選択手段と、
前記選択手段により選択された素材データを、前記データ提供装置から受信する通信手段と、
前記選択手段により選択された素材データとともに、前記画像データを前記記録媒体に記録する記録手段とを備えることを特徴とする画像データ記録装置。
【請求項３】
前記記録位置データ取得手段に代えて、前記画像データ記録装置を識別する識別データを記憶する識別データ記憶手段を備え、
前記選択手段は、前記識別データ記憶手段に記録された識別データに対応する素材データを選択することを特徴とする請求項１又は２に記載の画像データ記録装置。
【請求項４】
前記画像データは、撮影位置を示す撮影位置データが付加され、
前記記録位置データ取得手段に代えて、前記画像データに付加された撮影位置データを取得する撮影位置データ取得手段を備え、
前記選択手段は、前記撮影位置データ取得手段により取得された撮影位置データに対応する素材データを選択することを特徴とする請求項１又は２に記載の画像データ記録装置。
【請求項５】
前記素材データに代えて、素材データの提供元アドレスを示す提供元アドレスデータとすることを特徴とする請求項１から４のいずれか一項に記載の画像データ記録装置。
【請求項６】
前記記録手段は、コンピュータに、前記提供元アドレスデータに基づいて素材データを取得する機能を実現させるための素材データ取得プログラムを前記記録媒体に記録することを特徴とする請求項５に記載の画像データ記録装置。
【請求項７】
画像データを記録媒体に記録する画像データ記録装置において、
前記記録媒体に対する前記画像データの記録位置を示す記録位置データを取得する記録位置データ取得手段と、
前記記録位置データ取得手段により取得された記録位置データとともに、前記画像データを前記記録媒体に記録する記録手段とを備えることを特徴とする画像データ記録装置。
【請求項８】
前記記録手段は、コンピュータに、前記記録位置データに基づいて素材データを取得する機能を実現させるための素材データ取得プログラムを前記記録媒体に記録することを特徴とする請求項７に記載の画像データ記録装置。
【請求項９】
撮影位置を示す撮影位置データが付加された画像データを記録媒体に記録する画像データ記録装置において、
前記画像データから前記撮影位置データを取得する撮影位置データ取得手段と、
前記撮影位置データ取得手段により取得された撮影位置データとともに、前記画像データを前記記録媒体に記録する記録手段とを備えることを特徴とする画像データ記録装置。
【請求項１０】
前記記録手段は、コンピュータに、前記撮影位置データに基づいて素材データを取得する機能を実現させるための素材データ取得プログラムを前記記録媒体に記録することを特徴とする請求項９に記載の画像データ記録装置。
【請求項１１】
画像データを記録媒体に記録する画像データ記録方法において、
前記記録媒体に対する前記画像データの記録位置を示す記録位置データを取得する取得工程と、
位置に基づく複数の素材データを記憶する素材データ記憶手段に記憶された複数の素材データから、前記取得された記録位置データに対応する素材データを選択する選択工程と、
前記選択された素材データとともに、前記画像データを前記記録媒体に記録する記録工程とを含むことを特徴とする画像データ記録方法。
【請求項１２】
画像データを記録媒体に記録する画像データ記録方法において、
前記記録媒体に対する前記画像データの記録位置を示す記録位置データを取得する取得工程と、
位置に基づく素材データを提供するデータ提供装置に格納された複数の素材データから、前記取得された記録位置データに対応する素材データを選択する選択工程と、
前記選択された素材データを、前記データ提供装置から受信する通信工程と、前記選択された素材データとともに、前記画像データを前記記録媒体に記録する記録工程とを含むことを特徴とする画像データ記録方法。
【請求項１３】
前記取得工程において、画像データ記録装置を識別する識別データを記憶する識別データ記憶手段から識別データを取得し、
前記選択工程において、前記取得された識別データに対応する素材データを選択することを特徴とする請求項１１又は１２に記載の画像データ記録方法。
【請求項１４】
前記画像データは、撮影位置を示す撮影位置データが付加され、
前記取得工程において、前記画像データに付加された撮影位置データを取得し、
前記選択工程において、前記取得された撮影位置データに対応する素材データを選択することを特徴とする請求項１１又は１２に記載の画像データ記録方法。
【請求項１５】
前記素材データに代えて、素材データの提供元アドレスを示す提供元アドレスデータとすることを特徴とする請求項１１から１４のいずれか一項に記載の画像データ記録方法。
【請求項１６】
前記記録工程において、コンピュータに、前記提供元アドレスデータに基づいて素材データを取得する機能を実現させるための素材データ取得プログラムを前記記録媒体に記録することを特徴とする請求項１５に記載の画像データ記録方法。
【請求項１７】
画像データを記録媒体に記録する画像データ記録方法において、
前記記録媒体に対する前記画像データの記録位置を示す記録位置データを取得する取得工程と、
前記取得された記録位置データとともに、前記画像データを前記記録媒体に記録する記録工程とを含むことを特徴とする画像データ記録方法。
【請求項１８】
前記記録工程において、コンピュータに、前記記録位置データに基づいて素材データを取得する機能を実現させるための素材データ取得プログラムを前記記録媒体に記録することを特徴とする請求項１７に記載の画像データ記録方法。
【請求項１９】
撮影位置を示す撮影位置データが付加された画像データを記録媒体に記録する画像データ記録方法において、
前記画像データから前記撮影位置データを取得する取得工程と、
前記取得された撮影位置データとともに、前記画像データを前記記録媒体に記録する記録工程とを含むことを特徴とする画像データ記録方法。
【請求項２０】
前記記録工程において、コンピュータに、前記撮影位置データに基づいて素材データを取得する機能を実現させるための素材データ取得プログラムを前記記録媒体に記録することを特徴とする請求項１９に記載の画像データ記録方法。
【請求項２１】
第１のコンピュータに、
記録媒体に対する画像データの記録位置を示す記録位置データを取得する取得機能と、
位置に基づく複数の素材データを記憶する素材データ記憶手段に記憶された複数の素材データから、前記取得された記録位置データに対応する素材データを選択する選択機能と、
前記選択された素材データとともに、前記画像データを前記記録媒体に記録する記録機能とを実現させるための画像データ記録プログラム。
【請求項２２】
第１のコンピュータに、
記録媒体に対する画像データの記録位置を示す記録位置データを取得する取得機能と、
位置に基づく素材データを提供するデータ提供装置に格納された複数の素材データから、前記取得された記録位置データに対応する素材データを選択する選択機能と、
前記選択された素材データを、前記データ提供装置から受信する通信機能と、前記選択された素材データとともに、前記画像データを前記記録媒体に記録する記録機能とを実現させるための画像データ記録プログラム。
【請求項２３】
前記取得機能は、画像データ記録装置を識別する識別データを記憶する識別データ記憶手段から識別データを取得し、
前記選択機能は、前記取得された識別データに対応する素材データを選択することを特徴とする請求項２１又は２２に記載の画像データ記録プログラム。
【請求項２４】
前記画像データは、撮影位置を示す撮影位置データが付加され、
前記取得機能は、前記画像データに付加された撮影位置データを取得し、
前記選択機能は、前記取得された撮影位置データに対応する素材データを選択することを特徴とする請求項２１又は２２に記載の画像データ記録プログラム。
【請求項２５】
前記素材データに代えて、素材データの提供元アドレスを示す提供元アドレスデータとすることを特徴とする請求項２１から２４のいずれか一項に記載の画像データ記録プログラム。
【請求項２６】
前記記録機能は、第２のコンピュータに、前記提供元アドレスデータに基づいて素材データを取得する機能を実現させるための素材データ取得プログラムを前記記録媒体に記録することを特徴とする請求項２５に記載の画像データ記録プログラム。
【請求項２７】
第１のコンピュータに、
記録媒体に対する画像データの記録位置を示す記録位置データを取得する取得機能と、
前記取得された記録位置データとともに、前記画像データを前記記録媒体に記録する記録機能とを実現させるための画像データ記録プログラム。
【請求項２８】
前記記録機能は、第２のコンピュータに、前記記録位置データに基づいて素材データを取得する機能を実現させるための素材データ取得プログラムを前記記録媒体に記録することを特徴とする請求項２７に記載の画像データ記録プログラム。
【請求項２９】
第１のコンピュータに、
撮影位置を示す撮影位置データが付加された画像データから撮影位置データを取得する取得機能と、
前記取得された撮影位置データとともに、前記画像データを記録媒体に記録する記録機能とを実現させるための画像データ記録プログラム。
【請求項３０】
前記記録機能は、第２のコンピュータに、前記撮影位置データに基づいて素材データを取得する機能を実現させるための素材データ取得プログラムを前記記録媒体に記録することを特徴とする請求項２９に記載の画像データ記録プログラム。
【発明の詳細な説明】
【０００１】
【発明の属する技術分野】
本発明は、画像データを記録する画像データ記録装置、画像データ記録方法及び画像データ記録プログラムに関する。
【０００２】
【従来の技術】
従来、撮影した画像データに撮影場所等の位置データを付加する機能を有するカメラが考えられている。この場合、その撮影位置等が付加された画像データはフィルムに記録され、その画像データをプリントとする際に、その画像データに付加された撮影位置に対応する撮影地点情報等をデータベースから検索し、検索された撮影地点情報等をその画像データとともにプリントする方法及び装置があった（例えば、特許文献１参照）。
【０００３】
また、従来、ＤＳＣ（Digital Still Camera）等により撮影された画像データがメモリカードに記録され、そのメモリカードに記録された画像データを、定型のテンプレートとともにプリントするサービスや、ＣＤ−Ｒ（Compact Disk- Recordable）等の記録媒体に記録するサービスがあった。例えば、メモリカードに記録された画像データを、写真付年賀状用のテンプレートとともにプリントしたり、電子アルバムとしてＣＤ−Ｒに記録する構成である。
【０００４】
【特許文献１】
特開２０００−６６３１２号公報（第１１−１３頁、図６及び図７）
【０００５】
【発明が解決しようとする課題】
しかし、従来の定型のテンプレートを画像データに付加する構成では、画像データの表現が画一的になってしまうというおそれがあった。
【０００６】
これに対して、特許文献１の構成においては、任意の撮影位置に応じた付加情報を画像データに付加するので、画像データの多様な表現を実現することができる。しかし、特許文献１の構成においては、記録媒体に記録することが考慮されていない。
【０００７】
また、特許文献１の構成においても、位置情報として記録媒体への記録を実行した場所に関するデータを画像データに付加することができなかった。例えば、複数の撮影者により個々に撮影した画像データが記録された各メモリカードから、その撮影者達で共通の記録媒体に画像データを記録して生成する場合を考える。撮影者達が集まり、どの画像データを記録するか等を相談する画像データの記録場所は、後に、記録された画像データを閲覧する際によい思い出の場所となる。しかし、従来は、その場所に関するデータを記録媒体に記録することができなかった。
【０００８】
本発明の課題は、記録媒体への記録位置又は画像データの撮影位置に対応する各種データを、画像データとともに記録媒体に記録することである。
【０００９】
【課題を解決するための手段】
請求項１に記載の発明は、画像データを記録媒体に記録する画像データ記録装置において、
前記記録媒体に対する前記画像データの記録位置を示す記録位置データを取得する記録位置データ取得手段と、
位置に基づく複数の素材データを記憶する素材データ記憶手段と、
前記素材データ記憶手段に記憶された複数の素材データから、前記記録位置データ取得手段により取得された記録位置データに対応する素材データを選択する選択手段と、
前記選択手段により選択された素材データとともに、前記画像データを前記記録媒体に記録する記録手段とを備えることを特徴とする。
【００１０】
請求項に記載の画像データは、静止画及び動画のいずれか一方又は両方からなる。また、請求項に記載の素材データは、画像データの閲覧者に情報を提供するためのデータ、画像データの表現力を高めるデータ及び画像データの加工を目的とするデータ等のデータである。また、請求項に記載の記録位置データとは、記録媒体上の記録位置ではなく、記録媒体への記録実行の位置を示し、例えば地理的及び空間的な位置のうちのいずれか一方又は両方を示すデータである。
【００１１】
請求項２に記載の発明は、画像データを記録媒体に記録する画像データ記録装置において、
前記記録媒体に対する前記画像データの記録位置を示す記録位置データを取得する記録位置データ取得手段と、
位置に基づく素材データを提供するデータ提供装置に格納された複数の素材データから、前記記録位置データ取得手段により取得された記録位置データに対応する素材データを選択する選択手段と、
前記選択手段により選択された素材データを、前記データ提供装置から受信する通信手段と、
前記選択手段により選択された素材データとともに、前記画像データを前記記録媒体に記録する記録手段とを備えることを特徴とする。
【００１２】
請求項３に記載の発明は、請求項１又は２に記載の画像データ記録装置において、
前記記録位置データ取得手段に代えて、前記画像データ記録装置を識別する識別データを記憶する識別データ記憶手段を備え、
前記選択手段は、前記識別データ記憶手段に記録された識別データに対応する素材データを選択することを特徴とする。
【００１３】
請求項４に記載の発明は、請求項１又は２に記載の画像データ記録装置において、
前記画像データは、撮影位置を示す撮影位置データが付加され、
前記記録位置データ取得手段に代えて、前記画像データに付加された撮影位置データを取得する撮影位置データ取得手段を備え、
前記選択手段は、前記撮影位置データ取得手段により取得された撮影位置データに対応する素材データを選択することを特徴とする。
【００１４】
請求項５に記載の発明は、請求項１から４のいずれか一項に記載の画像データ記録装置において、
前記素材データに代えて、素材データの提供元アドレスを示す提供元アドレスデータとすることを特徴とする。
【００１５】
請求項６に記載の発明は、請求項５に記載の画像データ記録装置において、
前記記録手段は、コンピュータに、前記提供元アドレスデータに基づいて素材データを取得する機能を実現させるための素材データ取得プログラムを前記記録媒体に記録することを特徴とする。
【００１６】
請求項７に記載の発明は、
画像データを記録媒体に記録する画像データ記録装置において、
前記記録媒体に対する前記画像データの記録位置を示す記録位置データを取得する記録位置データ取得手段と、
前記記録位置データ取得手段により取得された記録位置データとともに、前記画像データを前記記録媒体に記録する記録手段とを備えることを特徴とする。
【００１７】
請求項８に記載の発明は、請求項７に記載の画像データ記録装置において、
前記記録手段は、コンピュータに、前記記録位置データに基づいて素材データを取得する機能を実現させるための素材データ取得プログラムを前記記録媒体に記録することを特徴とする。
【００１８】
請求項９に記載の発明は、撮影位置を示す撮影位置データが付加された画像データを記録媒体に記録する画像データ記録装置において、
前記画像データから前記撮影位置データを取得する撮影位置データ取得手段と、
前記撮影位置データ取得手段により取得された撮影位置データとともに、前記画像データを前記記録媒体に記録する記録手段とを備えることを特徴とする。
【００１９】
請求項１０に記載の発明は、請求項９に記載の画像データ記録装置において、前記記録手段は、コンピュータに、前記撮影位置データに基づいて素材データを取得する機能を実現させるための素材データ取得プログラムを前記記録媒体に記録することを特徴とする。
【００２０】
請求項１１に記載の発明は、画像データを記録媒体に記録する画像データ記録方法において、
前記記録媒体に対する前記画像データの記録位置を示す記録位置データを取得する取得工程と、
位置に基づく複数の素材データを記憶する素材データ記憶手段に記憶された複数の素材データから、前記取得された記録位置データに対応する素材データを選択する選択工程と、
前記選択された素材データとともに、前記画像データを前記記録媒体に記録する記録工程とを含むことを特徴とする。
【００２１】
請求項１２に記載の発明は、画像データを記録媒体に記録する画像データ記録方法において、
前記記録媒体に対する前記画像データの記録位置を示す記録位置データを取得する取得工程と、
位置に基づく素材データを提供するデータ提供装置に格納された複数の素材データから、前記取得された記録位置データに対応する素材データを選択する選択工程と、
前記選択された素材データを、前記データ提供装置から受信する通信工程と、前記選択された素材データとともに、前記画像データを前記記録媒体に記録する記録工程とを含むことを特徴とする。
【００２２】
請求項１３に記載の発明は、請求項１１又は１２に記載の画像データ記録方法において、
前記取得工程において、画像データ記録装置を識別する識別データを記憶する識別データ記憶手段から識別データを取得し、
前記選択工程において、前記取得された識別データに対応する素材データを選択することを特徴とする。
【００２３】
請求項１４に記載の発明は、請求項１１又は１２に記載の画像データ記録方法において、
前記画像データは、撮影位置を示す撮影位置データが付加され、
前記取得工程において、前記画像データに付加された撮影位置データを取得し、
前記選択工程において、前記取得された撮影位置データに対応する素材データを選択することを特徴とする。
【００２４】
請求項１５に記載の発明は、請求項１１から１４のいずれか一項に記載の画像データ記録方法において、
前記素材データに代えて、素材データの提供元アドレスを示す提供元アドレスデータとすることを特徴とする。
【００２５】
請求項１６に記載の発明は、請求項１５に記載の画像データ記録方法において、
前記記録工程において、コンピュータに、前記提供元アドレスデータに基づいて素材データを取得する機能を実現させるための素材データ取得プログラムを前記記録媒体に記録することを特徴とする。
【００２６】
請求項１７に記載の発明は、画像データを記録媒体に記録する画像データ記録方法において、
前記記録媒体に対する前記画像データの記録位置を示す記録位置データを取得する取得工程と、
前記取得された記録位置データとともに、前記画像データを前記記録媒体に記録する記録工程とを含むことを特徴とする。
【００２７】
請求項１８に記載の発明は、請求項１７に記載の画像データ記録方法において、
前記記録工程において、コンピュータに、前記記録位置データに基づいて素材データを取得する機能を実現させるための素材データ取得プログラムを前記記録媒体に記録することを特徴とする。
【００２８】
請求項１９に記載の発明は、撮影位置を示す撮影位置データが付加された画像データを記録媒体に記録する画像データ記録方法において、
前記画像データから前記撮影位置データを取得する取得工程と、
前記取得された撮影位置データとともに、前記画像データを前記記録媒体に記録する記録工程とを含むことを特徴とする。
【００２９】
請求項２０に記載の発明は、請求項１９に記載の画像データ記録方法において、
前記記録工程において、コンピュータに、前記撮影位置データに基づいて素材データを取得する機能を実現させるための素材データ取得プログラムを前記記録媒体に記録することを特徴とする。
【００３０】
請求項２１に記載の発明は、
第１のコンピュータに、
記録媒体に対する画像データの記録位置を示す記録位置データを取得する取得機能と、
位置に基づく複数の素材データを記憶する素材データ記憶手段に記憶された複数の素材データから、前記取得された記録位置データに対応する素材データを選択する選択機能と、
前記選択された素材データとともに、前記画像データを前記記録媒体に記録する記録機能とを実現させるための画像データ記録プログラムであることを特徴とする。
【００３１】
請求項１、１１又は２１に記載の発明によれば、記録位置データを取得し、その記録位置データに対応する素材データを選択し、その選択された素材データとともに、画像データを記録媒体に記録する。このため、記録後の記録媒体により、画像データとともに、記録位置データに基づいた斬新で適切な素材データを利用できる。また、画像データの閲覧者に、素材データによる画像データの記録位置に基づく情報を容易に提供することができる。
【００３２】
請求項２２に記載の発明は、
第１のコンピュータに、
記録媒体に対する画像データの記録位置を示す記録位置データを取得する取得機能と、
位置に基づく素材データを提供するデータ提供装置に格納された複数の素材データから、前記取得された記録位置データに対応する素材データを選択する選択機能と、
前記選択された素材データを、前記データ提供装置から受信する通信機能と、前記選択された素材データとともに、前記画像データを前記記録媒体に記録する記録機能とを実現させるための画像データ記録プログラムであることを特徴とする。
【００３３】
請求項２、１２又は２２に記載の発明によれば、記録位置データを取得し、その記録位置データに対応する素材データを選択し、その選択された素材データをデータ提供装置から受信し、その素材データとともに、画像データを記録媒体に記録する。このため、記録後の記録媒体により、画像データとともに、記録位置データに基づいた斬新で適切な素材データを利用できる。また、素材データをデータ提供装置が格納するので、画像データを記録する側のデータ記憶負担を軽減することができて且つ素材データのメンテナンスが不要となる。
【００３４】
請求項２３に記載の発明は、請求項２１又は２２に記載の画像データ記録プログラムにおいて、
前記取得機能は、画像データ記録装置を識別する識別データを記憶する識別データ記憶手段から識別データを取得し、
前記選択機能は、前記取得された識別データに対応する素材データを選択することを特徴とする。
【００３５】
請求項３、１３又は２３に記載の発明によれば、画像データ記録装置の識別データに対応する素材データを選択する。このため、記録後の記録媒体により、画像データとともに、識別データに対応する斬新で適切な素材データを利用することができる。また、記録位置データを取得する構成が不要であるので、画像データの記録の構成を簡略化することができる。
【００３６】
請求項２４に記載の発明は、請求項２１又は２２に記載の画像データ記録プログラムにおいて、
前記画像データは、撮影位置を示す撮影位置データが付加され、
前記取得機能は、前記画像データに付加された撮影位置データを取得し、
前記選択機能は、前記取得された撮影位置データに対応する素材データを選択することを特徴とする。
【００３７】
請求項４、１４又は２４に記載の発明によれば、画像データに付加された撮影位置データを取得し、その撮影位置データに対応する素材データを選択する。このため、撮影位置データに対応する素材データを記録媒体に記録することができる。また、記録後の記録媒体により、画像データとともに、撮影位置データに基づいた斬新で適切な素材データを利用できる。
【００３８】
請求項２５に記載の発明は、請求項２１から２４のいずれか一項に記載の画像データ記録プログラムにおいて、
前記素材データに代えて、素材データの提供元アドレスを示す提供元アドレスデータとすることを特徴とする。
【００３９】
請求項５、１５又は２５に記載の発明によれば、素材データの提供元アドレスデータとともに、画像データを記録媒体に記録する。このため、素材データに代えて容量の小さな提供元アドレスデータを記録媒体に記録するので、記録媒体の画像データ以外の記憶容量を節約することができる。
【００４０】
請求項２６に記載の発明は、請求項２５に記載の画像データ記録プログラムにおいて、
前記記録機能は、第２のコンピュータに、前記提供元アドレスデータに基づいて素材データを取得する機能を実現させるための素材データ取得プログラムを前記記録媒体に記録することを特徴とする。
【００４１】
請求項６、１６又は２６に記載の発明によれば、提供元アドレスデータに基づいて素材データを取得する素材データ取得プログラムを記録媒体に記録する。このため、記録媒体に記録された素材データ取得プログラムを用いて、提供元アドレスデータに対応する素材データを容易に取得することができる。
【００４２】
請求項２７に記載の発明は、
第１のコンピュータに、
記録媒体に対する画像データの記録位置を示す記録位置データを取得する取得機能と、
前記取得された記録位置データとともに、前記画像データを前記記録媒体に記録する記録機能とを実現させるための画像データ記録プログラムであることを特徴とする。
【００４３】
請求項７、１７又は２７に記載の発明によれば、記録位置データとともに、画像データを記録媒体に記録する。このため、記録後の記録媒体により、画像データとともに、記録位置データに基づいた斬新で適切な素材データを利用できる。また、素材データに代えて容量の小さな記録位置データを記録媒体に記録するので、記録媒体の画像データ以外の記憶容量を節約することができる。
【００４４】
請求項２８に記載の発明は、請求項２７に記載の画像データ記録プログラムにおいて、
前記記録機能は、第２のコンピュータに、前記記録位置データに基づいて素材データを取得する機能を実現させるための素材データ取得プログラムを前記記録媒体に記録することを特徴とする。
【００４５】
請求項８、１８又は２８に記載の発明によれば、記録位置データに基づいて素材データを取得する素材データ取得プログラムを記録媒体に記録する。このため、記録媒体に記録された素材データ取得プログラムを用いて、記録位置データに対応する素材データを容易に取得することができる。
【００４６】
請求項２９に記載の発明は、
第１のコンピュータに、
撮影位置を示す撮影位置データが付加された画像データから撮影位置データを取得する取得機能と、
前記取得された撮影位置データとともに、前記画像データを記録媒体に記録する記録機能とを実現させるための画像データ記録プログラムであることを特徴とする。
【００４７】
請求項９、１９又は２９に記載の発明によれば、撮影位置データとともに、画像データを記録媒体に記録する。このため、記録後の記録媒体により、画像データとともに、撮影位置データに基づいた斬新で適切な素材データを利用できる。また、素材データに代えて容量の小さな撮影位置データを記録媒体に記録するので、記録媒体の画像データ以外の記憶容量を節約することができる。また、請求項１７に記載の発明によっても同様の効果が得られる。
【００４８】
請求項３０に記載の発明は、請求項２９に記載の画像データ記録プログラムにおいて、
前記記録機能は、第２のコンピュータに、前記撮影位置データに基づいて素材データを取得する機能を実現させるための素材データ取得プログラムを前記記録媒体に記録することを特徴とする。
【００４９】
請求項１０、２０又は３０に記載の発明によれば、撮影位置データに基づいて素材データを取得する素材データ取得プログラムを記録媒体に記録する。このため、記録媒体に記録された素材データ取得プログラムを用いて、撮影位置データに対応する素材データを容易に取得することができる。
【００５０】
【発明の実施の形態】
以下、添付図面を参照して、本発明に係る第１、第２、第３、第４及び第５の実施の形態を順に説明する。
【００５１】
（第１の実施の形態）
図１〜図５を参照して、本発明に係る第１の実施の形態を説明する。先ず、図１及び図２を参照して本実施の形態の装置の特長を説明する。図１は、本実施の形態における画像データ記録システムαを示す図である。図２は、図１に示す画像データ記録システムαの画像データ記録装置２Ａの内部構成を示すブロック図である。
【００５２】
図１に示すように、本実施の形態に係る画像データ記録システムαは、被写体の静止画のデジタル画像データが撮影されるＤＳＣ等の撮影装置１と、撮影装置１にセットされて、撮影された画像データが記録されるメモリカードａと、メモリカードａに記録された画像データを分類して、記録媒体としてのＣＤ−Ｒ４に記録する画像データ記録装置２Ａとを備える。ＣＤ−Ｒ４は、データを記憶する記録領域部を備える。
【００５３】
メモリカードａには、少なくとも１枚の撮影された画像データが記録される。また、本実施の形態では、１台の撮影装置１と、１枚のメモリカードａを用いる構成であるが、撮影者が複数いる場合等に、複数の撮影装置とそのメモリカードとを用い、複数のメモリカード内の画像データをＣＤ−Ｒ４に記録する構成としてもよい。
【００５４】
画像データ記録装置２Ａは、例えば、観光地付近のコンビニエンスストアや、写真店等に設置される。また、複数人で操作をすることを考慮して、複数人で利用することが多いファミリーレストランや、カラオケ店、居酒屋等に設置されてもよい。また、自家用車、バス、列車、船、飛行機等の輸送手段に設置される構成でもよい。また、画像データ記録装置２Ａは、固定型の装置に限ることなく、持ち運びが可能な可搬型の装置でもよい。
【００５５】
メモリカードａは、小型メモリカードで構成される記録メディアであり、画像データ記録装置２Ａでデータを読み書きするためのアダプタを含んでもよい。
【００５６】
また、本実施の形態では、記録媒体として、画像データを基本的に一度記録可能で再生可能なＣＤ−Ｒ４を採用するが、これに限るものではない。例えば、ＣＤ−ＲＷ、フレキシブルディスク、ＭＯ（Magneto Optical disk）、ＤＶＤ（Digital Versatile Disk）、ＤＶＤ−Ｒ、ＤＶＤ−ＲＡＭ、ＤＶＤ±ＲＷ、青紫色レーザを用いる次世代高密度記録媒体、可搬式ＨＤＤ（ハードディスクドライブ）等でもよい。
【００５７】
図２に示すように、画像データ記録装置２Ａは、各部の中央制御を行うＣＰＵ（Central Processing Unit）２１と、情報を一時的に格納するＲＡＭ及び情報を読み出し可能に記憶するＲＯＭ等からなるメモリ２２と、情報の読み書きが可能な素材データ記憶手段としてのＨＤＤ２３と、操作者からの入力情報を受付ける入力手段２４と、情報を表示する表示手段２５と、各種周辺機器等を接続するＵＳＢ（Universal Serial Bus）ポート等の接続手段２６と、無線ＬＡＮ（Local Area Network）等の通信を行う通信手段２７と、ＣＤ−Ｒ４に記録された情報の再生及び情報の記録を行う記録手段２８と、ＵＳＢポート等の接続手段２９と、メモリカードａがセットされその情報の読み書きを行うスロット手段３０と、画像データ記録装置２Ａの位置を示す記録位置データを取得する記録位置データ取得手段３１と、各部が接続及び載置されるマザーボード３２とを備える。
【００５８】
ＨＤＤ２３には、第１の画像データ記録処理を実行するための第１の画像データ記録プログラムと、複数の素材データが記録されている。また、画像データ記録装置２Ａは、ＣＰＵ２１がＨＤＤ２３に記憶された第１の画像データ記録プログラムを読み出してメモリ２２のＲＡＭに展開して実行することにより、第１の画像データ記録処理が実行される。この実行構成において、図２に示すように、画像データ記録処理中の素材データを選択する機能を実現する選択手段２１１が、画像データ記録装置２に構成されているものとして説明する。なお、選択手段２１１は、ソフトウェア的に実現される構成であるが、ハードウェアとして搭載される構成でもよい。
【００５９】
素材データは、撮影された画像データの表示の際に閲覧者に付加情報を提供するデータや、その画像データの表現力を高めるデータや、撮影された画像データの加工を目的としたデータ等である。また、素材データは、テキストデータ（文字フォントデータを含んでもよい）、静止画像データ、動画像データ、音声データ及び音楽データ等のいずれか一つ又は複数の組合せからなる。また、本実施の形態において、素材データは、画像データ記録装置２Ａの記録位置データに関連付けされるデータである。
【００６０】
記録位置データ取得手段３１は、ＧＰＳ（Global Positioning System）方式等により、画像データ記録装置２Ａの緯度及び経度等の位置を示す記録位置データを取得する。画像データ記録装置２Ａの位置は、ＣＤ−Ｒ４への記録実行の位置を意味する。なお、記録位置データは、緯度及び経度に限るものではなく、河口湖、那須高原等の観光地や名所の地名、居酒屋、ファミリーレストラン、カラオケ店等の店舗名、支店名（新宿支店、第２号店等）、住所等の表現により位置を示すデータとしてもよい。更に、これらの地理的な位置だけではなく、あるビルの何階等の空間的な位置を示すデータや、地理的及び空間的な位置データを組合わせたデータとしてもよい。
【００６１】
また、記録位置データが観光地名である場合に、素材データは、観光地のロゴ（例えば、河口湖のロゴ）、その観光地で有名な花（例えば、ラベンダー）、イベント（例えば、釣り）のイラストデータ、各種テンプレート、名所の俳句文書、ガイドナレーションデータ等となる。また、記録位置データが居酒屋やファミリーレストラン等のお店である場合に、素材データは、お店のロゴ、お店の案内、メニュー画像データ、お酒や食事等のイラストデータ等となる。また、その場合に、記録位置データは、そのお店の近辺の名所、そのナレーションデータや、そのお店への行き方や地図等を含むアクセスデータ等としてもよい。そして、この複数の素材データがＨＤＤ２３に記憶されている。
【００６２】
ＣＰＵ２１は、ＨＤＤ２３に記憶されているシステムプログラム及び各種アプリケーションプログラムの中から指定されたアプリケーションプログラムを読み出してメモリ２２（のＲＡＭ）内に展開する。そして、ＣＰＵ２１は、入力手段２４から入力される各種指示又はそれに応じた各種データをメモリ２２（のＲＡＭ）内に一時的に格納し、この入力指示及び入力データを用いて前記展開されたアプリケーションプログラムに従って各種処理を実行する。そして、ＣＰＵ２１は、その処理結果をメモリ２２（のＲＡＭ）内に格納すると共に、表示手段２５に表示させる。
【００６３】
ＣＰＵ２１は、第１の画像データ記録処理を実行する。ＣＰＵ２１は、第１の画像データ記録処理の実行により、メモリカードａに記録された画像データを認識して表示手段２５に表示させ、その表示された画像データから操作者に記録実行対象の画像データを選択入力させる。また、記録位置データ取得手段３１からＣＤ−Ｒ４への記録位置を示す記録位置データを取得し、ＨＤＤ２３内の複数の素材データから、取得した記録位置データに対応する素材データを選択し、選択された画像データ及び素材データをＣＤ−Ｒ４の記録領域部に記録する（図４参照）。
【００６４】
入力手段２４は、カーソルキー、数字入力キー及び各種機能キー等を備えたキーボードを含み、操作者によりキーボードで押下された押下信号をＣＰＵ２１に出力する。また、入力手段２４は、ポインティングデバイスとしてマウス等を含み、操作者により入力されたポインティングデバイスの位置信号をＣＰＵ２１に出力する構成でもよい。
【００６５】
表示手段２５は、ＬＣＤ（Liquid Crystal Display）を備え、ＣＰＵ２１から入力される表示指示に従って各種表示データの画面表示を行う。また、ＬＣＤに代えて、ＣＲＴ（Cathode Ray Tube）、ＰＤＰ（Plasma Display Panel）又はＥＬ（Electro Luminescence）ディスプレイ等を備えることとしてもよい。
【００６６】
ＨＤＤ２３は、各種アプリケーションプログラム及び各種データを読み書き可能に記憶する。本実施の形態においては、特に、第１の画像データ記録プログラム及び素材データを記憶する。また、ＨＤＤ２３に記憶されたプログラム、データ等は、その一部若しくは全部を外部機器からＬＡＮ、ＷＡＮ（Wide Area Network）等の通信ネットワークを介して通信手段２７から受信して格納する構成にしてもよい。また、ＨＤＤ２３は通信ネットワーク上に構築された外部機器の記憶装置であってもよい。更に、前記各種プログラムを前記通信ネットワークを介して外部機器へ送信及びインストールする構成にしてもよい。
【００６７】
通信ネットワークは、例えば、無線又は有線のＬＡＮであるが、ＷＡＮを含めてもよく、電話回線網、ＩＳＤＮ回線網、広帯域通信回線網、専用線、移動体通信網、通信衛星回線、ＣＡＴＶ回線、光通信回線、無線通信回線と、それらを接続するインターネットサービスプロバイダ等を含む構成でもよい。
【００６８】
なお、画像データ記録装置２Ａは、本実施の形態において、１台の情報処理装置で構成している。しかし、例えば通信ネットワークを介した複数の機器を設置すること等により、各種機能を複数の機器で分散して実行する構成でもよい。この場合、各種機能を実行する負荷が分散される。
【００６９】
次に、図３を参照して、メモリカードａ及びＣＤ−Ｒ４に記録されたデータの構成を説明する。図３は、本実施の形態におけるデータの構成を示す図である。（I）は、メモリカードａに記録されたデータの構成を示す図である。（II）は、ＣＤ−Ｒ４に記録されたデータの構成を示す図である。
【００７０】
図３（I）に示すように、メモリカードａには少なくとも１つの画像データ５が記録されている。画像データ５は、実画像イメージのデータである画像実データ５１を含む。また、図３（II）に示すように、第１の画像データ記録処理の実行により、ＣＤ−Ｒ４の記録領域部に記録されるデータは、例えば、画像データ記録装置２Ａの位置を示す記録位置データ５２と、記録位置データ５２に対応する素材データ５３と、画像実データ５１１，５１２を含む。ＣＤ−Ｒ４の記録領域部には、少なくとも１つの画像実データが記録される。
【００７１】
次に、図４を参照して、画像データ記録装置２の動作としての第１の画像データ記録処理を説明する。図４は、第１の画像データ記録処理の流れを示す図である。
【００７２】
第１の画像データ記録処理の実行前に予め、撮影装置１を用いて各撮影者により被写体が撮影されているものとする。また、各メモリカードａには、少なくとも１つの画像データが記録されているものとする。
【００７３】
入力手段２４から操作者により第１の画像データ記録処理の実行開始が入力されたことをトリガとして、ＣＰＵ２１がＨＤＤ２３に記憶された第１の画像データ記録プログラムを読み出してメモリ２２のＲＡＭに展開して実行することにより、画像データ記録処理が実行される。操作者は、撮影者に限られるものではない。また、操作者は一人に限られるものではなく複数人であってもよい。
【００７４】
先ず、スロット手段３０にメモリカードａがセットされる（ステップＳ１１）。そして、選択手段２１１により、スロット手段３０にセットされたメモリカードａから全画像データ５が読み出されてメモリ２２のＲＡＭに格納されて、自動的に認識される（ステップＳ１２）。
【００７５】
そして、ステップＳ１２において認識された画像データ５が表示手段２５により表示される（ステップＳ１３）。そして、記録位置データ取得手段３１により画像データ記録装置２Ａの位置を示す記録位置データが取得される（ステップＳ１４）。そして、操作者により実際にＣＤ−Ｒ４に記録する記録実行対象の画像データ５が入力手段２４から選択入力される（ステップＳ１５）。
【００７６】
そして、選択手段２１１により、ＨＤＤ２３に記憶された複数の素材データから、ステップＳ１４において取得された記録位置データに対応する素材データが選択されて読み出され、その読み出された素材データがステップＳ１５において選択された画像データに関連付けられる（ステップＳ１６）。そして、ステップＳ１６において選択された素材データとステップＳ１５において選択された画像データとが表示手段２５に表示される（ステップＳ１７）。ここで、表示されるデータは、素材データにより加工された画像データとするが、表示データと画像データとが別々に表示されてもよい。
【００７７】
そして、記録手段２８により、ステップＳ１６において選択された素材データとステップＳ１５において選択された画像データとがＣＤ−Ｒ４の記録領域部に記録される（ステップＳ１８）。ここで、記録されるデータは、素材データにより加工された画像データである。また、素材データ及び画像データとともに、記録位置データが記録される構成でもよい。例えば、図３（II）に示すように、記録位置データ５２、素材データ５３、画像データとしての画像実データ５１１，５１２が、ＣＤ−Ｒ４に記録される構成でもよい。そして、第１の画像データ記録処理が終了される。その後、メモリカードａがスロット手段３０から取り出され、ＣＤ−Ｒ４が記録手段２８から取り出される。
【００７８】
また、ＨＤＤ２３において、素材データの新規追加、変更及び削除等の更新の定期的又は不定期的な実行により、ＨＤＤ２３に記憶された素材データは更新が反映された有用なデータとなる。この更新によるメンテナンスにより、有用な素材データをＣＤ−Ｒ４に記録することができる。
【００７９】
第１の画像データ記録処理によりデータが記録されたＣＤ−Ｒ４は、例えば、画像データの撮影者等に配布される。そして、そのＣＤ−Ｒ４の再生時には、ＰＣ等のコンピュータのＣＤドライブにＣＤ−Ｒ４がセットされ、そのコンピュータにより、ＣＤ−Ｒ４に記録された画像データと記録位置データに対応する素材データとが読み出されて表示される。素材データにより加工された画像データが表示される構成でもいいし、画像データと素材データとが別々に表示される構成でもよい。閲覧者は、その画像データ及び素材データを閲覧することができる。また、そのコンピュータにおいて、閲覧者の入力等により、その画像データ及び素材データを用いた各種処理を行うこともできる。
【００８０】
以上、本実施の形態によれば、記録位置データ取得手段３１により記録位置データが取得され、その取得された記録位置データに対応する素材データが選択されてＨＤＤ２３から読み出されて画像データとともにＣＤ−Ｒ４に記録される。このため、その記録されたＣＤ−Ｒ４により、画像データとともに、記録位置データに基づいた斬新で適切な素材データを利用できる。特に、ＣＤ−Ｒ４に記録後、記録された画像データを閲覧者が閲覧する場合に、素材データを閲覧できるので、閲覧者が画像データの記録に参加していた場合には、記録時の状況をその閲覧者に容易に思い出させることができる。また、閲覧者が画像データの記録に参加していない場合には、記録時の情報をその閲覧者に容易に知らしめることができる。
【００８１】
また、画像データ及びその素材データが記録されたＣＤ−Ｒ４から電子アルバム等を作る場合に、その素材データを用いて画像データを加工し、容易に表現力の豊かな画像データの電子アルバム等を作成することができる。また、従来の定型のテンプレートを画像データに付加する構成に比べて、多種の素材データを画像データに付加することができる。これらにより、付加価値の高い画像データ記録サービスを提供できる。また、画像データ記録サービスの利用価値が高いので、顧客は容易にそのサービスを利用することができる。
【００８２】
なお、本実施の形態においては、記録位置データ取得手段３１を備えるので、画像データ装置２Ａが新規設置（例えば、新規開店店舗への設置）又は移動（例えば、チェーン店補の支店間での移動設置、輸送手段としてのバス等の車内への設置）される際の、記録位置データの取得を容易に行うことができる。
【００８３】
（第２の実施の形態）
次に、図５から図７を参照して、本発明に係る第２の実施の形態を説明する。本実施の形態は、第１の実施の形態と多くの構成部分が共通である。ここでは、第１の実施の形態と異なる構成部分を主として説明する。
【００８４】
図５は、本実施の形態における画像データ記録システムβの構成を示す図である。図５に示すように、画像データ記録装置βは、撮影装置１と、メモリカードａと、素材データを提供するデータ提供装置６と、通信ネットワークＮを介してデータ提供装置６と通信接続され、データ提供装置６に提供された素材データとともに、メモリカードａに記録された画像データをＣＤ−Ｒ４に記録する画像データ記録装置２Ｂとを備える。
【００８５】
データ提供装置６は、複数の素材データを記憶する記憶手段６１を備え、記憶手段６１に記憶された素材データを、通信ネットワークＮを介して画像データ記録装置２Ｂに提供する。なお、画像データ記録システムβは、通信ネットワークＮを介してデータ提供装置６に画像データ記録装置２Ｂが１台接続されている構成であるが、これに限るものではなく、複数台の画像データ記録装置が接続される構成でもよい。
【００８６】
通信ネットワークＮは、第１の実施の形態において説明した通信ネットワークを同様の構成である。また、画像データ記録装置２Ｂの内部構成は、図２に示す画像データ記録装置２Ａの内部構成と同様である。
【００８７】
通信ネットワークＮは、画像データ記録装置２Ｂの通信手段２７に通信接続される。また、ＨＤＤ２３には、素材データが記憶されていなく、また、第２の画像データ記録プログラムが記録されている。ＣＰＵ２１は、第２の画像データ記録プログラムをＨＤＤ２３から読み出し、第２の画像データ記録プログラムをメモリ２２のＲＡＭに格納して第２の画像データ記録処理を実行する。この実行構成において、素材データを選択する手段を選択手段２１１とする。
【００８８】
メモリカードａ及びＣＤ−Ｒ４に記録されるデータ構成は、図３に示すデータ構成と同様である。
【００８９】
次に、図６を参照して、画像データ記録装置２Ｂの動作としての第２の画像データ記録処理を説明する。図６は、第２の画像データ記録処理の流れを示す図である。
【００９０】
第２の画像データ記録処理の実行前に予め、撮影装置１を用いて各撮影者により被写体が撮影されているものとする。また、各メモリカードａには、少なくとも１つの画像データが記録されているものとする。
【００９１】
入力手段２４から操作者により第２の画像データ記録処理の実行開始が入力されたことをトリガとして、ＣＰＵ２１がＨＤＤ２３に記憶された第２の画像データ記録プログラムを読み出してメモリ２２のＲＡＭに展開して実行することにより、第２の画像データ記録処理が実行される。
【００９２】
図６に示すように、ステップＳ２１〜Ｓ２５は、図４のステップＳ１１〜Ｓ１５と同様である。そして、選択手段２１１により、データ提供装置６に格納された複数の素材データから、ステップＳ２４において取得された記録位置データに対応する素材データが選択される（ステップＳ２６）。そして、ステップＳ２６において選択された素材データが、通信ネットワークＮ及び通信手段２７を介してデータ提供装置６から受信され、その受信された素材データがステップＳ２５において選択された画像データに関連付けられる（ステップＳ２７）。ステップＳ２８，Ｓ２９は、図４のステップＳ１７，Ｓ１８と同様である。そして、第２の画像データ記録処理が終了される。
【００９３】
第２の画像データ記録処理によりデータが記録されたＣＤ−Ｒ４は、例えば、画像データの撮影者等に配布される。そして、そのＣＤ−Ｒ４の再生時には、ＰＣ等のコンピュータのＣＤドライブにＣＤ−Ｒ４がセットされ、そのコンピュータにより、ＣＤ−Ｒ４に記録された画像データと記録位置データに対応する素材データとが読み出されて表示される。閲覧者は、その画像データ及び素材データを閲覧できる。また、その画像データ及び素材データを用いた各種処理を行うことができる。
【００９４】
以上、本実施の形態によれば、記録位置データ取得手段３１により記録位置データが取得され、その取得された記録位置データに対応する素材データが選択されてデータ提供装置６から受信されて画像データとともにＣＤ−Ｒ４に記録される。このため、ＣＤ−Ｒ４により画像データとともに記録位置データに基づいた斬新で適切な素材データを利用できるとともに、画像データ記録装置２ＢのＨＤＤ２３のデータ記憶負担を軽減することができる。
【００９５】
また、画像データ記録装置２ＢのＨＤＤ２３に素材データが記録されていないため、ＨＤＤ２３の更新によるメンテナンスが不要となる。特に、画像データ記録装置２Ｂが複数設置される場合に、素材データ記憶負担の軽減及び画像データ記録装置側の素材データのメンテナンス不要の効果は、画像データ記録システムβ全体として大きくなる。
【００９６】
（第３の実施の形態）
次に、図７及び図８を参照して、本発明に係る第３の実施の形態を説明する。本実施の形態は、第１又は第２の実施の形態において、記録位置データに代えて、撮影手段の撮影位置を示す撮影位置データを用いて素材データを取得する構成である。そして、その装置構成は、第１又は第２の実施の形態と同様である。
【００９７】
本実施の形態においては、第１の実施の形態のＨＤＤ２３に素材データを記憶する構成において、本実施の形態の特徴である、撮影位置データを用いて素材データを取得する構成を適用する場合を代表して説明する。しかし、第２の実施の形態のデータ提供装置６から素材データを取得する構成についても同様に本実施の形態の特徴を適用できる。また、説明の重複を避けるため、第１の実施の形態と異なる構成部分を主として説明する。
【００９８】
本実施の形態は、図１に示す画像データ記録システムαにより構成される。また、画像データ記録システムαの撮影装置１は、被写体を撮影する際の撮影装置１の位置を示す撮影位置データをＧＰＳ方式等により取得し、その撮影した画像データに撮影位置データを付加して、撮影画像データが付加された画像データをメモリカードａに記録する機能を更に有する。
【００９９】
また、画像データ記録システムαの画像データ記録装置２Ａは、図２における構成と同様であるが、記録位置データ取得手段３１は備えない構成となる。また、ＨＤＤ２３には、第３の画像データ記録処理を実行するための第３の画像データ記録処理プログラムと、複数の素材データとが記憶される。また、ＣＰＵ２１は、第３の画像データ記録プログラムをＨＤＤ２３から読み出し、第３の画像データ記録プログラムをメモリ２２のＲＡＭに格納して第３の画像データ記録処理を実行する。この実行構成において、素材データを選択する手段を選択手段２１１とし、撮影位置データを取得する手段を撮影位置データ取得手段２１２とする。なお、選択手段２１１と同様に、撮影位置データ取得手段２１２は、ソフトウェア的に実現される構成であるが、ハードウェアとして搭載される構成でもよい。
【０１００】
次に図７を参照して、本実施形態において、メモリカードａ及びＣＤ−Ｒ４に記録されたデータの構成を説明する。図７は、本実施の形態におけるデータの構成を示す図である。（I）は、メモリカードａに記録されたデータの構成を示す図である。（II）は、ＣＤ−Ｒ４に記録されたデータの構成を示す図である。
【０１０１】
メモリカードａには、図７（I）に示すような画像データ７が少なくとも１つ記録される。画像データ７は、画像実データ７１と、画像実データ７１の撮影時の撮影装置１の位置を示す撮影位置データ７２とを含む。また、図７（II）に示すように、第３の画像データ記録処理の実行によりＣＤ−Ｒ４の記録領域部に記録されたデータは、画像実データ７１１，７１２と、画像実データ７１１，７１２それぞれの撮影時の撮影装置１の位置を示す撮影位置データ７２１，７２２と、撮影位置データ７２１，７２２にそれぞれ対応する素材データ７３１，７３２を含む。画像実データ、撮影位置データ及び素材データを１組とすると、ＣＤ−Ｒ４の記録領域部には、少なくとも１組のデータが記録される。
【０１０２】
撮影位置データは、Ｅｘｉｆ（Exchangeable Image File format）（２．２）方式により、画像データに含まれるようにメモリカードａに記録される構成であるとする。しかし、これに限るものではなく、他の方式により記録される構成としてもよい。
【０１０３】
次に、図８を参照して、画像データ記録装置２Ａの動作としての第３の画像データ記録処理を説明する。図８は、第３の画像データ記録処理の流れを示す図である。
【０１０４】
第３の画像データ記録処理の実行前に予め、撮影装置１を用いて各撮影者により被写体が撮影されているものとする。また、各メモリカードａには、撮影位置データ７２を含む少なくとも１つの画像データ７が記録されているものとする。
【０１０５】
入力手段２４から操作者により第３の画像データ記録処理の実行開始が入力されたことをトリガとして、ＣＰＵ２１がＨＤＤ２３に記憶された第３の画像データ記録プログラムを読み出してメモリ２２のＲＡＭに展開して実行することにより、第３の画像データ記録処理が実行される。
【０１０６】
図８に示すように、ステップＳ３１〜Ｓ３３は、図４のステップＳ１１〜Ｓ１３と同様である。そして、撮影位置データ取得手段２１２により、ステップＳ３２において認識された画像データ７から撮影位置データ７２を取得する（ステップＳ３４）。そして、ステップＳ３５は、図４のステップＳ１５と同様である。そして、選択手段２１１により、ＨＤＤ２３に記憶された複数の素材データから、ステップＳ３４において取得された撮影位置データに対応する素材データが選択されて読み出され、その読み出された素材データがステップＳ３５において選択された画像データに関連付けられる（ステップＳ３６）。そして、ステップＳ３７，Ｓ３８は、図４のステップＳ１７，Ｓ１８と同様である。そして、第３の画像データ記録処理が終了される。
【０１０７】
第３の画像データ記録処理によりデータが記録されたＣＤ−Ｒ４は、例えば、画像データの撮影者等に配布される。そして、そのＣＤ−Ｒ４の再生時には、ＰＣ等のコンピュータのＣＤドライブにＣＤ−Ｒ４がセットされ、そのコンピュータにより、ＣＤ−Ｒ４に記録された画像データと撮影位置データに対応する素材データとが読み出されて表示される。閲覧者は、その画像データ及び素材データを閲覧できる。また、その画像データ及び素材データを用いた各種処理を行うことができる。
【０１０８】
以上、本実施の形態によれば、撮影位置データ取得手段２１２により撮影位置データが取得され、その取得された撮影位置データに対応する素材データが選択されて画像データとともにＣＤ−Ｒ４に記録される。このため、撮影位置データに対応する素材データを画像データとともにＣＤ−Ｒ４に記録することができる。これにより、画像データ及び素材データを場所もとらず整理して保存することができる。また、その記録されたＣＤ−Ｒ４により、画像データとともに、撮影位置データに基づいた斬新で適切な素材データを利用できる。
【０１０９】
（第４の実施の形態）
次に、図９及び図１０を参照して、本発明に係る第４の実施の形態を説明する。本実施の形態は、第１、第２又は第３の実施の形態において、素材データに代えて、素材データの提供元アドレスを示す提供元ＵＲＬ（Uniform Resource Locator）を取得する構成である。そして、その装置構成は、第１、第２又は第３の実施の形態と同様である。
【０１１０】
本実施の形態においては、第１の実施の形態のＨＤＤ２３に素材データを記憶する構成において、本実施の形態の特徴である、素材データの提供元ＵＲＬデータを画像データとともにＣＤ−Ｒ４に記録する構成を適用する場合を代表して説明する。しかし、第２の実施の形態のデータ提供装置６が素材データを格納する構成や、第３の実施形態における構成についても同様に本実施の形態の特徴を適用できる。また、説明の重複を避けるため、第１の実施の形態と異なる構成部分を主として説明する。
【０１１１】
本実施の形態は、図１に示す画像データ記録システムαにより構成される。ＨＤＤ２３には、素材データの代わりに、素材データの提供元アドレスデータとしてのを示す複数の提供元ＵＲＬが記憶されている。提供元ＵＲＬは、インターネットのＷＷＷアドレスであり、素材データを提供するサーバ等における素材データがダウンロード可能なサイトのアドレスとなっている。また、ＨＤＤ２３には、第４の画像データ記録処理を実行するための第４の画像データ記録プログラムが記録されている。
【０１１２】
また、ＣＰＵ２１は、第４の画像データ記録プログラムをＨＤＤ２３から読み出し、第４の画像データ記録プログラムをメモリ２２のＲＡＭに格納して第４の画像データ記録処理を実行する。この実行構成において、素材データを選択する手段を選択手段２１１とする。
【０１１３】
次に図９を参照して、本実施形態において、メモリカードａ及びＣＤ−Ｒ４に記録されたデータの構成を説明する。図９は、本実施の形態においてＣＤ−Ｒ４に記録されたデータの構成を示す図である。
【０１１４】
メモリカードａには、図３（I）に示すように、少なくとも１つの画像実データ５が記録されている。また、図９に示すように、第４の画像データ記録処理の実行によりＣＤ−Ｒ４の記録領域部に記録されたデータは、画像実データ５１１，５１２と、画像データ記録装置２Ａの位置を示す記録位置データ５２と、記録位置データ５２に対応する提供元ＵＲＬ５４を含む。ＣＤ−Ｒ４には、少なくとも１つの画像実データが記録される。
【０１１５】
次に、図１０を参照して、画像データ記録装置２Ａの動作としての第４の画像データ記録処理を説明する。図１０は、第４の画像データ記録処理の流れを示す図である。
【０１１６】
第４の画像データ記録処理の実行前に予め、撮影装置１を用いて各撮影者により被写体が撮影されているものとする。また、各メモリカードａには、少なくとも１つの画像データ５が記録されているものとする。
【０１１７】
入力手段２４から操作者により第４の画像データ記録処理の実行開始が入力されたことをトリガとして、ＣＰＵ２１がＨＤＤ２３に記憶された第４の画像データ記録プログラムを読み出してメモリ２２のＲＡＭに展開して実行することにより、第４の画像データ記録処理が実行される。
【０１１８】
図１０に示すように、ステップＳ４１〜Ｓ４５は、図４のステップＳ１１〜Ｓ１５と同様である。そして、選択手段２１１により、ＨＤＤ２３に記憶された複数の提供元ＵＲＬから、ステップＳ４４において取得された記録位置データに対応する素材データの提供元ＵＲＬが選択されて読み出され、その読み出された提供元ＵＲＬがステップＳ４５において選択された画像データに関連付けられる（ステップＳ４６）。そして、ステップＳ４６において選択された提供元ＵＲＬ及びステップＳ４５において選択された画像データが表示手段２５に表示される（ステップＳ４７）。
【０１１９】
そして、記録手段２８により、ステップＳ４６において選択された提供元ＵＲＬとステップＳ４５において選択された画像データとがＣＤ−Ｒ４の記録領域部に記録される（ステップＳ４８）。また、記録位置データがＣＤ−Ｒ４の記録領域部に記録される構成でもよい。例えば、図９に示すように、記録位置データ５２、提供元ＵＲＬ５４、画像データとしての画像実データ５１１，５１２が、ＣＤ−Ｒ４の記録領域部に記録される構成でもよい。そして、第４の画像データ記録処理が終了される。
【０１２０】
第４の画像データ記録処理によりデータが記録されたＣＤ−Ｒ４は、例えば、画像データの撮影者等に配布される。そして、そのＣＤ−Ｒ４の再生時には、ＰＣ等のコンピュータのＣＤドライブにセットされ、そのコンピュータにより、ＣＤ−Ｒ４に記録された画像データ及びその提供元ＵＲＬが読み出されて表示される。そこで、閲覧者により提供元ＵＲＬが選択入力されると、予め記憶されていたブラウザ等が起動し、そのブラウザにより通信ネットワークを介して素材データの提供元サーバに接続され、提供元ＵＲＬに対応する素材データをその提供元サーバからダウンロードされ、画像データとダウンロードされた素材データとが表示される。閲覧者は、その画像データ及び素材データを閲覧できる。また、その画像データ及び素材データを用いた各種処理を行うことができる。
【０１２１】
よって、本実施の形態によれば、記録位置データ取得手段３１により記録位置データが取得され、その取得された記録位置データに対応する素材データの提供元ＵＲＬが選択されて画像データとともにＣＤ−Ｒ４に記録される。このため、素材データ自体をＣＤ−Ｒ４に記録することがなく、容量の小さな提供元ＵＲＬをＣＤ−Ｒ４に記録するので、ＣＤ−Ｒ４の画像データ以外の記憶容量を節約することができる。その節約された容量の分だけ多くの画像データをＣＤ−Ｒ４に記録することができる。また、その記録されたＣＤ−Ｒ４により、画像データとともに、撮影位置データに基づいた斬新で適切な素材データを利用できる。
【０１２２】
なお、本実施の形態においては、素材データの提供元ＵＲＬを画像データとともにＣＤ−Ｒ４の記録領域部に記録する構成であったが、素材データの提供元ＵＲＬ及び画像データとともに、提供元ＵＲＬに基づいて素材データを取得する素材データ取得プログラムをＣＤ−Ｒ４の記録領域部に記録する構成でもよい。素材データ取得プログラムは、例えば、ＣＤ−Ｒ４がセットされたＰＣ等のコンピュータに、提供元ＵＲＬに基づいて、素材データの提供元サーバから素材データをダウンロードする機能を実現させる。そして、そのコンピュータにより、画像データ及びダウンロードされた素材データが表示される。
【０１２３】
素材データ取得プログラムは、例えば、ブラウザである。この構成によれば、素材データ取得プログラムがコンピュータ側に予め記録されていない場合でも、素材データが取得され、画像データとともに素材データを容易に利用することができる。また、提供元アドレスデータは、インターネットのＵＲＬだけではなく、ＦＴＰ（File Transfer Protocol）等の他の方式のアドレスデータでもよい。
【０１２４】
更に、素材データの提供元ＵＲＬに代えて、記録位置データ又は撮影位置データをそのまま、画像データとともにＣＤ−Ｒ４に記録する構成としてもよい。この構成では、ＨＤＤ２３に提供元アドレスを記憶する構成が必要ないので更に記録容量を節約することができる。また、提供元アドレスを選択する手段（選択手段２１１）等が必要でなくなり、画像データ記録装置の内部構成を簡略化することができる。また、この構成の場合にも、記録位置データ又は撮影位置データと画像データとともに、記録位置データ又は撮影位置データに基づいて素材データを提供元サーバからダウンロードする素材データ取得プログラムをＣＤ−Ｒ４の記録領域部に記録する構成でもよい。
【０１２５】
（第５の実施の形態）
次に、図１１を参照して、本発明に係る第５の実施の形態を説明する。本実施の形態は、第１又は第２の実施の形態において、記録位置データに代えて、画像データ記録装置を識別する識別データを用いて素材データを取得する構成である。そして、その装置構成は、第１又は第２の実施の形態と同様である。
【０１２６】
本実施の形態においては、第１の実施の形態のＨＤＤ２３に素材データを記憶する構成において、本実施の形態の特徴である、識別データを用いて素材データを取得する構成を適用する場合を代表して説明する。しかし、第２の実施の形態のデータ提供装置６から素材データを取得する構成についても同様に本実施の形態の特徴を適用できる。また、説明の重複を避けるため、第１の実施の形態と異なる構成部分を主として説明する。
【０１２７】
識別データとは、画像データ記録装置が複数ある場合に、各画像データ記録装置を識別するデータである。識別データは、全画像データ記録装置に割り振られた番号、文字コード等である。
【０１２８】
本実施の形態は、図１に示す画像データ記録システムαにより構成される。また、画像データ記録システムαの画像データ記録装置２Ａは、図２における構成と同様であるが、記録位置データ取得手段３１は備えない構成となる。また、識別データ記憶手段及び素材データ記憶手段としてのＨＤＤ２３には、画像データ記録装置を識別するための識別コードと、複数の素材データと、第５の画像データ記録処理を実行するための第５の画像データ記録プログラムが記録される。また、ＣＰＵ２１は、第５の画像データ記録プログラムをＨＤＤ２３から読み出し、第５の画像データ記録プログラムをメモリ２２のＲＡＭに格納して第５の画像データ記録処理を実行する。この実行構成において、素材データを選択する手段を選択手段２１１とする。また、本実施形態において、メモリカードａ及びＣＤ−Ｒ４に記録されたデータの構成は、図３（I）, （II）に示すようになる。
【０１２９】
次に、図１１を参照して、画像データ記録装置２Ａの動作としての第５の画像データ記録処理を説明する。図１１は、第５の画像データ記録処理の流れを示す図である。
【０１３０】
第５の画像データ記録処理の実行前に予め、撮影装置１を用いて各撮影者により被写体が撮影されているものとする。また、各メモリカードａには、少なくとも１つの画像データ５が記録されているものとする。
【０１３１】
入力手段２４から操作者により第５の画像データ記録処理の実行開始が入力されたことをトリガとして、ＣＰＵ２１がＨＤＤ２３に記憶された第５の画像データ記録プログラムを読み出してメモリ２２のＲＡＭに展開して実行することにより、第５の画像データ記録処理が実行される。
【０１３２】
図１１に示すように、ステップＳ５１〜Ｓ５４は、図４のステップＳ１１〜Ｓ１３，Ｓ１５と同様である。そして、選択手段２１１により、画像データ記録装置２Ａを識別する識別データがＨＤＤ２３から読み出される。そして、選択手段２１１により、ＨＤＤ２３に記憶された複数の素材データから、その読み出された識別データに対応する素材データが選択されて読み出され、その読み出された素材データがステップＳ５４において選択された画像データに関連付けられる（ステップＳ５５）。そして、図１１のステップＳ５６，Ｓ５７は、図４のステップＳ１７，Ｓ１８と同様である。そして、第５の画像データ記録処理が終了される。
【０１３３】
第５の画像データ記録処理によりデータが記録されたＣＤ−Ｒ４は、例えば、画像データの撮影者等に配布される。そして、そのＣＤ−Ｒ４の再生時には、ＰＣ等のコンピュータのＣＤドライブにＣＤ−Ｒ４がセットされ、そのコンピュータにより、ＣＤ−Ｒ４に記録された画像データと記録位置データに対応する素材データとが読み出されて表示される。閲覧者は、その画像データ及び素材データを閲覧できる。また、その画像データ及び素材データを用いた各種処理を行うことができる。
【０１３４】
以上、本実施の形態によれば、選択手段２１１により識別データがＨＤＤ２３から読み出され、その読み出された識別データに対応する素材データが画像データとともにＣＤ−Ｒ４に記録される。このため、ＣＤ−Ｒ４により画像データとともに識別データに対応する斬新で適切な素材データを利用することができる。また、記録位置データ取得手段３１が不要であるので、画像データ記録装置の構成を簡略化することができる。
【０１３５】
なお、第１から第５の実施の形態では、メモリカードからスロット手段３０を介して、画像データを画像データ記録装置２に入力する構成であるが、これに限るものではない。例えば、ＣＤ−Ｒ、ＤＶＤ、可搬型ＨＤＤ等の記録媒体に記録された画像データを入力する構成でもよい。また、接続手段２６に撮影装置を直接接続して、その撮影装置に記憶された画像データを画像データ記録装置２に入力する構成でもよい。更に、通信手段２７及び通信手段２７に接続された通信ネットワーク（Ｎ）を介して、その通信ネットワーク（Ｎ）上の外部機器から画像データを受信して画像データ記録装置に入力する構成でもよい。
【０１３６】
また、第１から第５の実施の形態では、画像データの記録先として、可搬型の記録媒体としてＣＤ−Ｒ４を用いたがこれに限るものではない。例えば、記録対象の画像データの記録先として、固定型の記録媒体を有する固定ＨＤＤ、フラッシュＲＯＭ等の記録媒体に記録する構成でもよい。また、記録媒体に記録された画像データを通信手段２７を介して通信ネットワーク（Ｎ）上の外部機器に送信することもできる。
【０１３７】
また、第１から第５の実施の形態では、記録実行対象の画像データを操作者に選択入力させているが、これに限るものではない。例えば、表示手段２５に表示された記録対象の画像データのＣＤ−Ｒ４への記録実行の承認を操作者に入力させる構成でもよい。この構成では、操作者の画像データ分類のための入力の負担が軽減される。更に、操作者に記録実行対象の画像データの選択及び確認の入力を行わせない構成でもよい。この構成では、操作者の画像データ分類のための入力の負担が更に軽減される。また、この構成では、表示手段２５への記録対象の画像データの表示を省くことができる。
【０１３８】
また、第１から第５の実施の形態においては、記録位置データ、撮影位置データ又は識別データに対応する素材データ又は提供元ＵＲＬが、選択手段２１１により自動的に選択される構成であったが、これに限るものではない。例えば、第１の実施の形態において、１つの記録位置データに対応する素材データが複数ある場合に、操作者による入力手段２４を介する入力により、その素材データが２つ以上選択入力され、その選択入力された素材データがＣＤ−Ｒ４に記録される構成でもよい。第２から第５の実施の形態についても同様である。
【０１３９】
また、第１から第５の実施の形態においては、スロット手段３０に複数のメモリカードを同時にセットできる構成でもよい。
【０１４０】
また、第１から第５の実施の形態の各構成は、その中の複数の構成を組合わせる構成としてもよい。また、第１から第５の実施の形態においては、画像データとして静止画の画像データを用いる構成について説明したが、これに限るものではない。画像データとして、動画の画像データを用いる構成としてもよい。
【０１４１】
以上、本発明の実施の形態につき説明したが、本発明は、必ずしも上述した手段及び手法にのみ限定されるものではなく、本発明にいう目的を達成し、本発明にいう効果を有する範囲内において適宜に変更実施が可能なものである。
【０１４２】
【発明の効果】
請求項１、１１又は２１に記載の発明によれば、記録位置データを取得し、その記録位置データに対応する素材データを選択し、その選択された素材データとともに、画像データを記録媒体に記録する。このため、記録後の記録媒体により、画像データとともに、記録位置データに基づいた斬新で適切な素材データを利用できる。また、画像データの閲覧者に、素材データによる画像データの記録位置に基づく情報を容易に提供することができる。
【０１４３】
請求項２、１２又は２２に記載の発明によれば、記録位置データを取得し、その記録位置データに対応する素材データを選択し、その選択された素材データをデータ提供装置から受信し、その素材データとともに、画像データを記録媒体に記録する。このため、記録後の記録媒体により、画像データとともに、記録位置データに基づいた斬新で適切な素材データを利用できる。また、素材データをデータ提供装置が格納するので、画像データを記録する側のデータ記憶負担を軽減することができて且つ素材データのメンテナンスが不要となる。
【０１４４】
請求項３、１３又は２３に記載の発明によれば、画像データ記録装置の識別データに対応する素材データを選択する。このため、記録後の記録媒体により、画像データとともに、識別データに対応する斬新で適切な素材データを利用することができる。また、記録位置データを取得する構成が不要であるので、画像データの記録の構成を簡略化することができる。
【０１４５】
請求項４、１４又は２４に記載の発明によれば、画像データに付加された撮影位置データを取得し、その撮影位置データに対応する素材データを選択する。このため、撮影位置データに対応する素材データを記録媒体に記録することができる。また、記録後の記録媒体により、画像データとともに、撮影位置データに基づいた斬新で適切な素材データを利用できる。
【０１４６】
請求項５、１５又は２５に記載の発明によれば、素材データの提供元アドレスデータとともに、画像データを記録媒体に記録する。このため、素材データに代えて容量の小さな提供元アドレスデータを記録媒体に記録するので、記録媒体の画像データ以外の記憶容量を節約することができる。
【０１４７】
請求項６、１６又は２６に記載の発明によれば、提供元アドレスデータに基づいて素材データを取得する素材データ取得プログラムを記録媒体に記録する。このため、記録媒体に記録された素材データ取得プログラムを用いて、提供元アドレスデータに対応する素材データを容易に取得することができる。
【０１４８】
請求項７、１７又は２７に記載の発明によれば、記録位置データとともに、画像データを記録媒体に記録する。このため、記録後の記録媒体により、画像データとともに、記録位置データに基づいた斬新で適切な素材データを利用できる。また、素材データに代えて容量の小さな記録位置データを記録媒体に記録するので、記録媒体の画像データ以外の記憶容量を節約することができる。
【０１４９】
請求項８、１８又は２８に記載の発明によれば、記録位置データに基づいて素材データを取得する素材データ取得プログラムを記録媒体に記録する。このため、記録媒体に記録された素材データ取得プログラムを用いて、記録位置データに対応する素材データを容易に取得することができる。
【０１５０】
請求項９、１９又は２９に記載の発明によれば、撮影位置データとともに、画像データを記録媒体に記録する。このため、記録後の記録媒体により、画像データとともに、撮影位置データに基づいた斬新で適切な素材データを利用できる。また、素材データに代えて容量の小さな撮影位置データを記録媒体に記録するので、記録媒体の画像データ以外の記憶容量を節約することができる。
【０１５１】
請求項１０、２０又は３０に記載の発明によれば、撮影位置データに基づいて素材データを取得する素材データ取得プログラムを記録媒体に記録する。このため、記録媒体に記録された素材データ取得プログラムを用いて、撮影位置データに対応する素材データを容易に取得することができる。
【図面の簡単な説明】
【図１】本発明に係る第１の実施の形態における画像データ記録システムαを示す図である。
【図２】画像データ記録システムαの画像データ記録装置２Ａの内部構成を示すブロック図である。
【図３】第１の実施の形態におけるデータの構成を示す図である。（I）は、メモリカードａに記録されたデータの構成を示す図である。（II）は、ＣＤ−Ｒ４に記録されたデータの構成を示す図である。
【図４】第１の画像データ記録処理の流れを示す図である。
【図５】本発明に係る第２の実施の形態における画像データ記録システムβの構成を示す図である。
【図６】第２の画像データ記録処理の流れを示す図である。
【図７】本発明に係る第３の実施の形態におけるデータの構成を示す図である。（I）は、メモリカードａに記録されたデータの構成を示す図である。（II）は、ＣＤ−Ｒ４に記録されたデータの構成を示す図である。
【図８】第３の画像データ記録処理の流れを示す図である。
【図９】本発明に係る第４の実施の形態におけるＣＤ−Ｒ４に記録されたデータの構成を示す図である。
【図１０】第４の画像データ記録処理の流れを示す図である。
【図１１】本発明に係る第５の実施の形態における第５の画像データ記録処理の流れを示す図である。
【符号の説明】
α，β…画像データ記録システム
１…撮影装置
ａ…メモリカード
２Ａ，２Ｂ…画像データ記録装置
２１…ＣＰＵ
２１１…分類手段
２１２…撮影位置データ取得手段
２２…メモリ
２３…ＨＤＤ
２４…入力手段
２５…表示手段
２６，２９…接続手段
２７…通信手段
２８…記録手段
３０…スロット手段
３１…記録位置データ取得手段
３２…マザーボード
４…ＣＤ−Ｒ
Ｎ…通信ネットワーク
６…データ提供装置
６１…記憶手段
【図１】
2004201236.tif 000003
【図２】
2004201236.tif 000004
【図３】
2004201236.tif 000005
【図４】
2004201236.tif 000006
【図５】
2004201236.tif 000007
【図６】
2004201236.tif 000008
【図７】
2004201236.tif 000009
【図８】
2004201236.tif 000010
【図９】
2004201236.tif 000011
【図１０】
2004201236.tif 000012
【図１１】
2004201236.tif 000013